(57)【特許請求の範囲】
【請求項１】
導光板と、前記導光板を支持する支持部材と、光源とを備え、
前記支持部材は、第１支持板及び第２支持板と、前記第１支持板及び前記第２支持板が前記導光板の第１端部を前記導光板の厚み方向から挟んだ状態で前記第１支持板及び前記第２支持板を前記導光板と連結する１つ又は複数の連結具とを有し、
前記第１支持板及び前記第２支持板のうちの少なくともいずれか一方の支持板は、前記導光板から離れる向きに突出する反射板を有しており、
前記導光板は、長尺の板状に形成されている合成樹脂成形体からなり、
前記複数の連結具は、前記導光板を厚み方向に貫通する複数の貫通孔と、前記第１支持板及び前記第２支持板のそれぞれを厚み方向に貫通する複数の挿通孔とにそれぞれ挿通され、かつ、前記複数の貫通孔及びに前記複数の挿通孔のそれぞれに対して抜け止めされ、
前記複数の挿通孔のうち、前記第１支持板及び前記第２支持板の長手方向の両端に近い場所に配置されている少なくとも２つの前記挿通孔は、長軸方向が前記第１支持板及び前記第２支持板の長手方向と平行する長円形状に形成されており、
前記複数の挿通孔のうち、前記第１支持板及び前記第２支持板の長手方向の中央に近い位置に配置されている前記挿通孔は、長軸方向が前記第１支持板及び前記第２支持板の短手方向と平行する長円形状に形成されていることを特徴とする照明器具。
【請求項２】
前記反射板は、前記導光板から離れるに連れて、前記第１端部と反対の前記導光板の第２端部に近付く向きに傾斜するように構成されていることを特徴とする請求項１記載の照明器具。
【請求項３】
一面が開口した箱状に形成され、前記支持部材及び前記光源を内部に収容する器具本体を備え、
前記導光板は、少なくとも一部を前記器具本体の前記一面から突出させるように構成されていることを特徴とする請求項２記載の照明器具。
【請求項４】
一面が開口した箱状に形成され、前記支持部材及び前記光源を内部に収容する器具本体を備え、
前記導光板は、前記器具本体の前記内部に収容されることを特徴とする請求項２記載の照明器具。
【請求項５】
一面が開口した箱状に形成され、前記支持部材及び前記光源を内部に収容する器具本体を備え、
前記第１支持板は、前記導光板から離れる向きに突出する第１反射板を有し、
前記第２支持板は、前記導光板から離れる向きに突出する第２反射板を有し、
前記第１反射板及び前記第２反射板はそれぞれ、前記導光板から離れるに連れて、前記導光板の第２端部に近付く向きに傾斜するように構成されており、
前記導光板は、少なくとも一部を前記器具本体の前記一面から突出させるように構成されていることを特徴とする請求項１記載の照明器具。
【請求項６】
一面が開口した箱状に形成され、前記支持部材及び前記光源を内部に収容する器具本体を備え、
前記第１支持板は、前記導光板から離れる向きに突出する第１反射板を有し、
前記第２支持板は、前記導光板から離れる向きに突出する第２反射板を有し、
前記第１反射板及び前記第２反射板はそれぞれ、前記導光板から離れるに連れて、前記導光板の第２端部に近付く向きに傾斜するように構成されており、
前記導光板は、前記器具本体の前記内部に収容されることを特徴とする請求項１記載の照明器具。
【発明の詳細な説明】
【技術分野】
【０００１】
本発明は、照明器具に関し、より詳細には、導光板を備えた照明器具に関する。
【背景技術】
【０００２】
従来、導光板を備えた照明器具が提供されている。たとえば、特許文献１記載の照明器具は、ＬＥＤ光源部の光を導光板を介して照射するように構成されている。特許文献１記載の照明器具（以下、従来例という）は、吊りボルトに固定されて天井仕上げ材の上（天井裏）に配置される器具本体と、器具本体内に収納されるＬＥＤ光源部と、器具本体に支持される導光板とを備えている。器具本体は、長尺の矩形箱状に形成されている。導光板は、長尺の矩形板状に形成されている。器具本体は、導光板の上端部分を厚み方向から挟み込むようにして導光板を支持している。ＬＥＤ光源部は、器具本体内において導光板の上端面と対向して配置されている。なお、導光板は、天井仕上げ材に設けられた長尺の孔を通して、室内側に配置される。
【先行技術文献】
【特許文献】
【０００３】
【特許文献１】特開２０１５−３２３９５号公報
【発明の概要】
【発明が解決しようとする課題】
【０００４】
ところで、特許文献１記載の従来例の構成では、導光板から出射される光束の配光特性を制御し難く、配光特性の制御のしやすさの向上が望まれている。
【０００５】
本発明の目的は、配光特性の制御のしやすさの向上を図ることができる照明器具を提供することである。
【課題を解決するための手段】
【０００６】
本発明の一態様に係る照明器具は、導光板と、前記導光板を支持する支持部材と、光源とを備えている。前記支持部材は、第１支持板及び第２支持板と、前記第１支持板及び前記第２支持板が前記導光板の第１端部を前記導光板の厚み方向から挟んだ状態で前記第１支持板及び前記第２支持板を前記導光板と連結する１つ又は複数の連結具とを有している。前記第１支持板及び前記第２支持板のうちの少なくともいずれか一方の支持板は、前記導光板から離れる向きに突出する反射板を有している。前記導光板は、長尺の板状に形成されている合成樹脂成形体からなる。前記複数の連結具は、前記導光板を厚み方向に貫通する複数の貫通孔と、前記第１支持板及び前記第２支持板のそれぞれを厚み方向に貫通する複数の挿通孔とにそれぞれ挿通され、かつ、前記複数の貫通孔及びに前記複数の挿通孔のそれぞれに対して抜け止めされている。前記複数の挿通孔のうち、前記第１支持板及び前記第２支持板の長手方向の両端に近い場所に配置されている少なくとも２つの前記挿通孔は、長軸方向が前記第１支持板及び前記第２支持板の長手方向と平行する長円形状に形成されている。前記複数の挿通孔のうち、前記第１支持板及び前記第２支持板の長手方向の中央に近い位置に配置されている前記挿通孔は、長軸方向が前記第１支持板及び前記第２支持板の短手方向と平行する長円形状に形成されている。
【発明の効果】
【０００７】
本発明の一態様に係る照明器具は、配光特性の制御のしやすさの向上を図ることができるという効果がある。
【図面の簡単な説明】
【０００８】
【図１】図１は、本発明の一実施形態に係る照明器具の分解斜視図である。
【図２】図２は、同上の照明器具における点灯ユニットの斜視図である。
【図３】図３は、同上の照明器具の正面図である。
【図４】図４は、同上の照明器具の下面図である。
【図５】図５は、同上の照明器具の平面図である。
【図６】図６は、同上の照明器具の左側面図である。
【図７】図７Ａは、同上の照明器具における第１挿通孔及び鋲の正面図である。図７Ｂは、同上の照明器具における第２挿通孔及び鋲の正面図である。
【図８】図８は、同上の照明器具の変形例の左側面図である。
【発明を実施するための形態】
【０００９】
以下、本発明の一実施形態に係る照明器具１について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態に係る照明器具１（以下、照明器具１と略す）は、図１〜図６に示すように、導光板４と、導光板４を支持する支持部材５と、光源（後述するＬＥＤ６０）とを備えている。また、照明器具１は、器具本体２、電源ブロック７及び一対の取付ばねブロック８を備えることが好ましい。ただし、以下の説明では、特に断りのない限り、図１において、照明器具１の上下、左右及び前後の各方向を規定する。
【００１１】
器具本体２は、長尺の矩形箱状に形成されている。器具本体２は、天板２０と、一対の第１側板２１と、第２側板２２とを有する。天板２０は、長尺の矩形板状に形成されている。一対の第１側板２１はそれぞれ、長尺の矩形板状に形成され、天板２０の前端及び後端から左右方向の全長に渡って下向きに突出するように形成されている。第２側板２２は、矩形板状に形成され、天板２０の右端から前後方向の全長に渡って下向きに突出するように形成されている。ただし、一対の第１側板２１及び第２側板２２のそれぞれの下端部分は、外向きに曲げ起こされている。
【００１２】
天板２０は、長手方向のほぼ中央に、電源ブロック７が挿通される矩形の挿通孔２００が設けられている。また、天板２０は、複数（たとえば、３つ）のボルト挿通孔２０１が挿通孔２００の両側に設けられている。さらに、天板２０は、長手方向（左右方向）の両端近くに、一対のばね取付孔２０２がそれぞれ設けられている（図５参照）。これら一対のばね取付孔２０２は、長軸方向が天板２０の幅方向（前後方向）に平行する長円形に形成されることが好ましい（図５参照）。また、天板２０の上面に端子台２４が取り付けられている（図３及び図５参照）。端子台２４は、電力系統（商用の交流電源）からの給電路となる電源線が電気的に接続される。なお、天板２０と一対の第１側板２１と第２側板２２とは、鋼板などの金属板が曲げ加工されることで一体に形成されることが好ましい。ここで、器具本体２の左端は、他の照明器具（照明器具１と同一の構造を有する照明器具）が連結されることを考慮して開放されている。そのため、天板２０の左端に、他の照明器具の天板を連結するための連結金具２３が取り付けられることが好ましい。ただし、他の照明器具が連結されない場合、器具本体２の長手方向（左右方向）の両端が一対の第２側板２２によってそれぞれ閉塞されていても構わない。
【００１３】
照明器具１は、点灯ユニット３を備えることが好ましい。点灯ユニット３は、導光板４、支持部材５、光源ユニット６、電源ブロック７及び一対の取付ばねブロック８で構成されている。
【００１４】
導光板４は、図１、図２に示すように、アクリル樹脂やポリカーボネート樹脂などの透光性を有する合成樹脂材料によって、長尺の矩形板状に形成されることが好ましい。導光板４は、上部の長手方向（左右方向）の中央と両端近くの３箇所に円形の挿通孔４０がそれぞれ設けられている。これら３つの挿通孔４０は、導光板４を厚み方向（前後方向）に貫通している。なお、導光板４は、前面及び後面のそれぞれの表面に細かな凹凸が形成されることが好ましい。
【００１５】
光源ユニット６は、多数のＬＥＤ（発光ダイオード）６０と、長尺の矩形板状に形成されている基板６１とを有している（図２及び図６参照）。基板６１の下面に、多数のＬＥＤ６０が長手方向に沿って１列に並べられた状態で実装されている。基板６１の下面には、これら多数のＬＥＤ６０同士を電気的に接続する導体（プリント配線）が形成され、かつ、導体を電源ブロック７の電源ユニット７０に電気的に接続するためのコネクタ６２が実装されている（図６参照）。
【００１６】
電源ブロック７は、電源ユニット７０、ブロックケース７１などを有している。電源ユニット７０は、長尺のプリント配線板に種々の電子部品が実装された回路ブロック７００と、回路ブロック７００を収容する電源ケース７０１とを有している（図１及び図２参照）。回路ブロック７００は、電力系統から端子台２４を経由して供給される交流電圧及び交流電流を直流電圧及び直流電流に変換するように構成されている。そして、回路ブロック７００から出力される直流電圧及び直流電流が光源ユニット６に供給されてＬＥＤ６０が点灯する。
【００１７】
ブロックケース７１は、矩形板状の取付板７１０と、取付板７１０の上端から左右方向に沿って前方へ突出する上板７１１と、取付板７１０の左端に沿って前方へ突出する側板７１２と、上板７１１の前端から下向きに突出する前板７１３とを有している。ただし、これらの取付板７１０、上板７１１、側板７１２及び前板７１３は、鋼板などの金属板が曲げ加工されて一体に形成されることが好ましい。取付板７１０の前面に電源ユニット７０（の電源ケース７０１）がねじ止めされて取り付けられる。また、取付板７１０の前面における右端に、信号線用の端子台７２が取り付けられている。信号線は、外部のコントローラなどから調光信号が伝送される伝送媒体である。電源ユニット７０は、端子台７２を経由して調光信号を受け取り、受け取った調光信号に応じて、回路ブロック７００から供給する直流電圧及び直流電流を調整して光源ユニット６を調光する。
【００１８】
一対の取付ばねブロック８は同一の構成を有している。取付ばねブロック８は、図２に示すように、取付ばね８０、ばね保持具（図示せず）及びばね取付金具８１などを有している。取付ばね８０は、ねじりコイルばねで構成されている。取付ばね８０は、ソレノイド状のコイル部８００と、一対の長尺の腕８０１とを有する。ばね取付金具８１は、矩形板状の主片８１０と、主片８１０の左右両端から上向きに立ち上がる一対の側片８１１と、主片８１０の前後両端から下向きに立ち下がる一対の固定片８１２とを有している。ただし、主片８１０、一対の側片８１１及び一対の固定片８１２は、鋼板などの金属板が曲げ加工されて一体に形成されることが好ましい。ばね保持具は、取付ばね８０のコイル部８００を保持した状態でばね取付金具８１の主片８１０に固定される。
【００１９】
支持部材５は、第１支持板５０Ａ及び第２支持板５０Ｂと、第１反射板５１Ａ及び第２反射板５１Ｂとを有している（図２参照）。支持部材５は、収容部５２を更に有することが好ましい。収容部５２は、概ね長尺の角筒状に形成されている。収容部５２は、光源ユニット６を内部に収容している。光源ユニット６の基板６１が収容部５２内の上面にねじ止めされている（図２及び図６参照）。収容部５２は、前後方向の中央に、長手方向に沿った直線状の溝５２０が形成されている。そして、収容部５２に収容されている光源ユニット６の全てのＬＥＤ６０が、上下方向に沿って溝５２０と対向している（図６参照）。
【００２０】
第１支持板５０Ａ及び第２支持板５０Ｂはそれぞれ、収容部５２の溝５２０の前端縁及び後端縁から左右方向の全長に渡って下向きに突出している。第１支持板５０Ａ及び第２支持板５０Ｂはそれぞれ、長尺の矩形板状に形成されている。また、第１支持板５０Ａ及び第２支持板５０Ｂはそれぞれ、長手方向の両端近くに２つの挿通孔（第１挿通孔という）５００が設けられ、長手方向の中央に１つの挿通孔（第２挿通孔という）５０１が設けられている。２つの第１挿通孔５００はそれぞれ、第１支持板５０Ａ及び第２支持板５０Ｂの長手方向に長軸方向を平行させた長円形に形成されることが好ましい（図７Ａ参照）。また、第２挿通孔５０１は、第１支持板５０Ａ及び第２支持板５０Ｂの短手方向（上下方向）に長軸方向を平行させた長円形に形成されることが好ましい（図７Ｂ参照）。
【００２１】
第１反射板５１Ａは、第１支持板５０Ａの下端から斜め前方下向きに突出している。また、第２反射板５１Ｂは、第２支持板５０Ｂの下端から斜め後方下向きに突出している（図２参照）。第１反射板５１Ａ及び第２反射板５１Ｂはそれぞれ、長尺の矩形板状に形成されている。ただし、第１反射板５１Ａ及び第２反射板５１Ｂはそれぞれ、先端（下端）が斜め上向きに折り返されている。
【００２２】
ここで、第１支持板５０Ａ及び第１反射板５１Ａは、溝５２０の前方に位置する収容部５２の下側の壁と一体に形成されることが好ましい。また、第２支持板５０Ｂ及び第２反射板５１Ｂは、溝５２０の後方に位置する収容部５２の下側の壁と一体に形成されることが好ましい。さらに、収容部５２は、溝５２０の前後両側に位置する下側の壁を除いた上側の壁及び前後両側の壁が一体に形成されて構成されることが好ましい。そして、これら３つの部材は、ねじ止めなどの適宜の方法で互いに結合されて支持部材５を構成している。
【００２３】
支持部材５は、第１支持板５０Ａと第２支持板５０Ｂの間に挟み込むようにして導光板４を支持する。より詳細には、収容部５２の溝５２０に導光板４の上部（第１端部）が差し込まれた状態で、第１支持板５０Ａ及び第２支持板５０Ｂと導光板４の上部とが３つの連結具５３で連結される。これら３つの連結具５３はそれぞれ、頭付きの鋲（スタッド）５３０と、ナット（押込み板ばねナット）５３１とで構成されている（図６参照）。３つの鋲５３０の軸５３００がそれぞれ、第２支持板５０Ｂの２つの第１挿通孔５００及び１つの第２挿通孔５０１に挿通される（図６、図７Ａ及び図７Ｂ参照）。これらの軸５３００の外周面に、周方向に沿って溝が形成されている。３つのナット５３１は、第１支持板５０Ａの第１挿通孔５００及び第２挿通孔５０１から突出する３つの軸５３００の溝にそれぞれ嵌め込まれる。つまり、３つの鋲５３０は、第１支持板５０Ａ及び第２支持板５０Ｂの３つの挿通孔５００、５０１と導光板４の３つの挿通孔４０とに軸５３００が挿通された状態で３つのナット５３１によって抜け止めされる。その結果、導光板４は、第１支持板５０Ａと第２支持板５０Ｂに、上部（第１端部）が厚み方向（前後方向）から挟み込まれた状態で支持される（図２及び図６参照）。
【００２４】
ここで、支持部材５（第１支持板５０Ａ及び第２支持板５０Ｂ）に支持された導光板４の上面が光源ユニット６の全てのＬＥＤ６０と正対している（図６参照）。したがって、光源ユニット６のＬＥＤ６０から放射される光（光束）のほぼ全てが導光板４の上面（以下、入射面ともいう）から導光板４内に入射する。導光板４に入射した光は導光板４内を進行しながら、導光板４の表面から導光板４の外に出射する。なお、以下の説明では、導光板４の前面、後面、左側面、右側面及び下面を総称して、導光板４の表面と呼ぶ場合がある。
【００２５】
支持部材５の収容部５２の左右両端に、２つの取付ばねブロック８がそれぞれ１つずつ取り付けられる（図１及び図２参照）。２つの取付ばねブロック８は、ばね取付金具８１の一対の固定片８１２が、収容部５２の前後両側の壁にそれぞれねじ止めされることで収容部５２に取り付けられている（図１及び図２参照）。また、電源ブロック７は、ブロックケース７１の取付板７１０及び前板７１３のそれぞれの下部が、収容部５２の前後両側の壁にそれぞれねじ止めされることで収容部５２に取り付けられている（図１及び図２参照）。
【００２６】
次に、照明器具１の施工作業の手順を説明する。まず、施工作業を行う作業者は、天井仕上げ材１０に設けられている埋込孔１１に器具本体２を挿入する（図６参照）。さらに、作業者は、建物の躯体に下向きに埋め込まれている複数本の吊りボルトを器具本体２の天板２０の複数のボルト挿通孔２０１にそれぞれ挿通し、これら複数の吊りボルトにナットを締め付けることで器具本体２を複数本の吊りボルトに取り付ける。このとき、器具本体２の第１側板２１及び第２側板２２と埋込孔１１との隙間は、外向きに曲げ起こされた第１側板２１及び第２側板２２の下端部分によって目隠しされる（図６参照）。また、作業者は、器具本体２の天板２０に取り付けられている端子台２４に、電力系統からの電源線を電気的に接続する。
【００２７】
続いて、作業者は、２つの取付ばね８０の一対の腕８０１を器具本体２の天板２０に設けられている２つのばね取付孔２０２（図５参照）にそれぞれ挿通する。このとき、２つの取付ばね８０の一対の腕８０１の先端に設けられている一対の引掛部８０２が、天板２０の上面における２つのばね取付孔２０２の周辺部分に引っ掛かる。その結果、点灯ユニット３は、２つの取付ばね８０により、天板２０に吊り下げられた状態で器具本体２に仮保持される。作業者は、点灯ユニット３を器具本体２に仮保持させた状態で、器具本体２の端子台２４と電源ユニット７０を電線（図示せず）で電気的に接続する。
【００２８】
最後に、作業者は、点灯ユニット３を押し上げて器具本体２内に収納する。すると、２つの取付ばね８０の一対の腕８０１が前後方向に広がり、天板２０の２つのばね取付孔２０２の前後両端の縁に引っ掛かる（図５参照）。その結果、点灯ユニット３は、器具本体２内に収容された状態で、２つの取付ばね８０のばね力によって器具本体２に支持される（図３〜図６参照）。照明器具１は、上述のようにして、天井仕上げ材１０の埋込孔１１に埋め込まれた状態で施工される。
【００２９】
ここで、照明器具１は、電源ユニット７０から給電させることによって光源ユニット６を点灯する。光源ユニット６（のＬＥＤ６０）から放射される光は、導光板４の入射面から導光板４内に入射し、導光板４内を導光されながら導光板４の表面から出射する。なお、導光板４の第１端部の前面及び後面は第１支持板５０Ａ及び第２支持板５０Ｂにそれぞれ覆われている。したがって、導光板４の第１端部の前面及び後面から出射する光は、第１支持板５０Ａ及び第２支持板５０Ｂのそれぞれの導光板４と接する面で反射されて導光板４内に戻る。ただし、第１支持板５０Ａ及び第２支持板５０Ｂのそれぞれの導光板４と接する面は、凹凸の少ない滑らかな面（反射率の高い面）とされることが好ましい。
【００３０】
導光板４の表面から出射する光は、導光板４の表面に形成されている細かな凹凸によって拡散される。導光板４の表面のうち、導光板４の前面及び後面から出射され、かつ、拡散された光の一部は、器具本体２内に向かって進行する。そして、器具本体２内に向かって進行した光は、器具本体２内に配置されている第１反射板５１Ａ及び第２反射板５１Ｂのそれぞれの反射面（下面）で反射される。これらの反射面で反射された光は、照明器具１の下方に照射される。つまり、照明器具１は、反射板５１Ａ、５１Ｂを有しているので、反射板５１Ａ、５１Ｂの寸法や傾斜角などに応じて、導光板４から出射される光（光束）の配光特性の制御のしやすさの向上を図ることができる。ただし、支持部材５は、反射板（第１反射板５１Ａ又は第２支持板５０Ｂ）を１つだけ有していても構わない。また、第１反射板５１Ａ及び第２反射板５１Ｂの傾斜角は、０［°］よりも大きく、かつ、１８０［°］よりも小さい角度の範囲において、所望の配光特性に応じた角度とされることが好ましい。なお、第１反射板５１Ａ及び第２反射板５１Ｂの傾斜角は、第１反射板５１Ａ及び第２反射板５１Ｂの反射面の法線が導光板４の前面及び後面の法線となす角である。
【００３１】
ところで、導光板４は、アクリル樹脂などの合成樹脂材料により、長尺の板状に形成されている。一方、導光板４を支持する支持部材５は鋼板などの金属材料で長尺の板状に形成されている。導光板４及び支持部材５は、点灯中の光源ユニット６及び電源ユニット７０が発する熱を受けて膨張する。しかしながら、合成樹脂成形体からなる導光板４は、金属製の支持部材５に比較して熱膨張率（線膨張率）が２桁ほど大きい。そのため、導光板４が熱膨張で伸縮する量（長さ）は、支持部材５が熱膨張で伸縮する量（長さ）よりも大きくなる。そこで、照明器具１では、第１支持板５０Ａ及び第２支持板５０Ｂの長手方向（左右方向）の両端の挿通孔（第１挿通孔５００）が、長手方向に平行な長軸を有する長円形に形成されている。したがって、照明器具１は、導光板４の伸縮量が支持部材５の伸縮量よりも大きい場合であっても、支持部材５から連結具５３を介して導光板４に加わる応力の低減を図ることができる。なお、照明器具１では、第１支持板５０Ａ及び第２支持板５０Ｂの長手方向（左右方向）の中央の挿通孔（第２挿通孔５０１）が、短手方向（上下方向）に平行な長軸を有する長円形に形成されている。したがって、導光板４及び支持部材５は、第２挿通孔５０１に挿通されている連結具５３を支点として長手方向に伸縮する。なお、導光板４及び支持部材５は、２つの第１挿通孔５００にそれぞれ挿通されている２つの連結具５３を支点として、第２挿通孔５０１の長軸方向（上下方向）に伸縮する。
【００３２】
ここで、照明器具１は、導光板４の下端を器具本体２の下面（開口面）から突出させている（図３及び図６参照）。そのため、照明器具１は、導光板４から出射する光を照明器具１の周囲の広い範囲に照射することができる。
【００３３】
ただし、本実施形態の変形例に係る照明器具１のように、導光板４の下端を第１反射板５１Ａ及び第２反射板５１Ｂのそれぞれの先端（下端）よりも先（下）に突出させなくてもよい（図８参照）。変形例に係る照明器具１は、導光板４の下端を第１反射板５１Ａ及び第２反射板５１Ｂの下端よりも下に突出させていない。言い換えると、変形例に係る照明器具１は、導光板４を器具本体２の内部に収容している。そのため、変形例に係る照明器具１は、導光板４から出射する光を導光板４の直下及びその周辺の比較的に狭い範囲に照射することができる。
【００３４】
照明器具１は上述のように、導光板４と、導光板４を支持する支持部材５と、光源（ＬＥＤ６０）とを備えている。支持部材５は、第１支持板５０Ａ及び第２支持板５０Ｂを有している。支持部材５は、第１支持板５０Ａ及び第２支持板５０Ｂが導光板４の第１端部（上端部）を導光板４の厚み方向（前後方向）から挟んだ状態で第１支持板５０Ａ及び第２支持板５０Ｂを導光板４と連結する１つ又は複数の連結具５３を有している。第１支持板５０Ａ及び第２支持板５０Ｂのうちの少なくともいずれか一方の支持板は、導光板４から離れる向きに突出する反射板（第１反射板５１Ａ、第２反射板５１Ｂ）を有している。
【００３５】
照明器具１が上述のように構成されれば、導光板４から出射する光（光束）を反射板（第１反射板５１Ａ、第２反射板５１Ｂ）に反射させるので、反射板（第１反射板５１Ａ、第２反射板５１Ｂ）の大きさや傾斜角などを変えることで配光特性を制御することができる。その結果、照明器具１は、反射板（第１反射板５１Ａ及び第２反射板５１Ｂ）を有しない場合と比較して、配光特性の制御のしやすさの向上を図ることができる。
【００３６】
また、照明器具１において、反射板（第１反射板５１Ａ、第２反射板５１Ｂ）は、導光板４から離れるに連れて、第１端部（上端部）と反対の導光板４の第２端部（下端部）に近付く向きに傾斜するように構成されていることが好ましい。
【００３７】
照明器具１が上述のように構成されれば、導光板４から出射する光を導光板４の下方に集光させることができる。
【００３８】
さらに、照明器具１において、一面（下面）が開口した箱状に形成され、支持部材５及び光源（ＬＥＤ６０）を内部に収容する器具本体２を備えることが好ましい。導光板４は、少なくとも一部（第２端部）を器具本体２の下面から突出させるように構成されていることが好ましい。
【００３９】
照明器具１が上述のように構成されれば、導光板４から出射する光を照明器具１の周囲の広い範囲に照射することができる。
【００４０】
また、照明器具１において、一面（下面）が開口した箱状に形成され、支持部材５及び光源（ＬＥＤ６０）を内部に収容する器具本体２を備えることが好ましい。導光板４は、器具本体２の内部に収容されることが好ましい。
【００４１】
照明器具１が上述のように構成されれば、導光板４の第２端部（下端部）が器具本体２の下面から突出せず、導光板４から出射する光を導光板４の直下及びその周辺の比較的に狭い範囲に照射することができる。
【００４２】
さらに、照明器具１において、導光板４は、長尺の板状に形成されている合成樹脂成形体からなることが好ましい。複数の連結具５３は、導光板４を厚み方向に貫通する複数の貫通孔（挿通孔４０）と、第１支持板５０Ａ及び第２支持板５０Ｂのそれぞれを厚み方向に貫通する複数の挿通孔（第１挿通孔５００及び第２挿通孔５０１）にそれぞれ挿通されることが好ましい。さらに、複数の連結具５３は、第１挿通孔５００及び第２挿通孔５０１に対して抜け止めされることが好ましい。複数の挿通孔のうち、第１支持板５０Ａ及び第２支持板５０Ｂの長手方向の両端に近い場所に配置されている少なくとも２つの第１挿通孔５００は、長軸方向が第１支持板５０Ａ及び第２支持板５０Ｂの長手方向と平行する長円形状に形成されていることが好ましい。
【００４３】
照明器具１が上述のように構成されれば、熱膨張によって導光板４が長手方向に沿って伸縮する際、連結具５３を介して第１支持板５０Ａ及び第２支持板５０Ｂから受ける応力の低減を図ることができる。
【００４４】
また、照明器具１において、一面（下面）が開口した箱状に形成され、支持部材５及び光源（ＬＥＤ６０）を内部に収容する器具本体２を備えることが好ましい。第１支持板５０Ａは、導光板４から離れる向きに突出する第１反射板５１Ａを有することが好ましい。第２支持板５０Ｂは、導光板４から離れる向きに突出する第２反射板５１Ｂを有することが好ましい。第１反射板５１Ａ及び第２反射板５１Ｂはそれぞれ、導光板４から離れるに連れて、導光板４の第２端部（下端部）に近付く向きに傾斜するように構成されていることが好ましい。導光板４は、少なくとも一部（下端部）を器具本体２の下面（開口面）から突出させるように構成されていることが好ましい。
【００４５】
照明器具１が上述のように構成されれば、導光板４の下端部を器具本体２の下面から突出させているので、導光板４から出射する光を照明器具１の周囲の広い範囲に照射することができる。
【００４６】
さらに、照明器具１において、一面が開口した箱状に形成され、支持部材５及び光源（ＬＥＤ６０）を内部に収容する器具本体２を備えることが好ましい。第１支持板５０Ａは、導光板４から離れる向きに突出する第１反射板５１Ａを有することが好ましい。第２支持板５０Ｂは、導光板４から離れる向きに突出する第２反射板５１Ｂを有することが好ましい。第１反射板５１Ａ及び第２反射板５１Ｂはそれぞれ、導光板４から離れるに連れて、導光板４の第２端部（下端部）に近付く向きに傾斜するように構成されていることが好ましい。導光板４は、器具本体２の内部に収容されることが好ましい。
【００４７】
照明器具１が上述のように構成されれば、導光板４の下端部が器具本体２の下面から突出しないので、導光板４から出射する光を導光板４の直下及びその周辺の比較的に狭い範囲に照射することができる。
【符号の説明】
【００４８】
１  照明器具
４  導光板
５  支持部材
４０  挿通孔（貫通孔）
５０Ａ  第１支持板
５０Ｂ  第２支持板
５１Ａ  第１反射板（反射板、第１反射板）
５１Ｂ  第２反射板（反射板、第２反射板）
５３  連結具
６０  ＬＥＤ（光源）
【図１】
0006692065.tif 000002
【図２】
0006692065.tif 000003
【図３】
0006692065.tif 000004
【図４】
0006692065.tif 000005
【図５】
0006692065.tif 000006
【図６】
0006692065.tif 000007
【図７】
0006692065.tif 000008
【図８】
0006692065.tif 000009